(57)【要約】      （修正有）【課題】暗い場所においても、ピンシリンダー錠のピンの配置を容易に組み替えることができるピン組替用治具を提供する。【解決手段】ピンシリンダー錠の外筒内に挿入及び離脱するための略円筒形状であり、外筒内に挿入されることにより、外筒の内周に配設されたピン穴を塞ぐ外周面を有する本体１００を有する。この本体１００は、光源を有する発光部と、外筒内に挿入される側の端部に設けられ、光源からの光を透過して外部に照射する照射部１２０と、照射部１２０が外筒内に挿入された状態で、外筒から露出して指により操作可能な操作部と、を有する。照射部１２０は、外筒に挿入される端面に形成され、ピン穴から上ピンを出し入れ可能な開口幅を有する溝１２１を有する。【選択図】図１
2018100577.tif 000002
【特許請求の範囲】
【請求項１】
ピンシリンダー錠の外筒内に挿入及び離脱するための略円筒形状であり、前記外筒内に挿入されることにより、前記外筒の内周に配設されたピン穴を塞ぐ外周面を有する本体を備え、
前記本体は、
光源を有する発光部と、
前記外筒内に挿入される側の端部に設けられ、前記光源からの光を透過して外部に照射する照射部と、
前記照射部が前記外筒内に挿入された状態で、前記外筒から露出して指により操作可能な操作部と、
を有し、
前記照射部は、前記外筒内に挿入される端面に形成され、前記ピン穴からピンを出し入れ可能な開口幅を有する溝を有することを特徴とするピン組替用治具。
【請求項２】
前記溝は、外方に向かって広がる傾斜面を有することを特徴とする請求項１記載のピン組替用治具。
【請求項３】
前記溝は、径方向に対向する外周面の双方が開口していることを特徴とする請求項１又は請求項２記載のピン組替用治具。
【請求項４】
前記溝は、径方向に対向する外周面の一方にのみ開口していることを特徴とする請求項１又は請求項２記載のピン組替用治具。
【請求項５】
前記照射部は、半透明であることを特徴とする請求項１乃至４いずれかに記載のピン組替用治具。
【請求項６】
前記照射部は、前記本体から離脱可能に設けられていることを特徴とする請求項１乃至５のいずれかに記載のピン組替用治具。
【請求項７】
前記光源は、電源に接続されることにより発光する部材であり、
前記発光部は、前記本体の前記照射部とは反対の端部側に設けられ、前記光源を発光させる電源を収容する収容部を有し、
前記光源は、前記収容部の近傍に配置されていることを特徴とする請求項１乃至６のいずれかに記載のピン組替用治具。
【請求項８】
前記光源は、その発光側の先端が、前記照射部側の端部から前記本体の軸方向の全長の２分の１以上となる位置に配置されていることを特徴とする請求項１乃至７のいずれかに記載のピン組替用治具。
【発明の詳細な説明】
【技術分野】
【０００１】
本発明は、ピンシリンダー錠のピンの配置を組み替える際に使用するピン組替用治具に関する。
【背景技術】
【０００２】
一般的なピンシリンダー錠は、内側と外側に同軸に重ね合わされた一対の筒状体のうち、内側の筒状体の回動が規制される状態と、回動が許容される状態とを切り替える装置である。このようなピンシリンダー錠の一例を、図１２〜図１４を参照して説明する。図１２（Ａ）、図１３（Ａ）に示すように、シリンダー錠１０において、外側の筒状体は外筒２０と呼ばれ、円柱形状の貫通穴２１が形成されている。以下、この貫通穴２１の内側の面を内周面と呼ぶ。また、「外筒２０内に挿入する」とは、貫通穴２１に挿入することをいう。
【０００３】
内側の筒状体は内筒３０と呼ばれ、外筒２０の貫通穴２１と略同径で、貫通穴２１に挿入される円筒形状である。外筒２０は、図示しない錠の筐体に対して固定され不動である。内筒３０は、外筒２０内で軸を中心に回動する。
【０００４】
外筒２０の内周面の天井には、外筒２０の径方向に延びた複数のピン穴２２が、軸方向に並設されている。内筒３０の外周面の上部には、径方向に延びた複数のピン穴３２が、軸方向に並設されている。外筒２０のピン穴２２、内筒３０のピン穴３２は、内筒３０の回動の一角度において合致して、複数本の連続した穴を形成する。
【０００５】
内筒３０には、図１２（Ｂ）、図１３（Ｂ）に示すように、鍵Ｋが挿入される鍵穴３３が、一端面から軸方向に延びて形成されている。この鍵穴３３には、内筒３０のピン穴３２の端部が連通している。以下の説明では、この鍵穴３３に鍵Ｋが挿入される側を正面側とし、その反対側を背面側とする。
【０００６】
外筒２０のピン穴２２と内筒３０のピン穴３２の内部には、ピンタンブラー４０が挿入されている。ピンタンブラー４０は、図１２（Ｂ）、図１３（Ｂ）に示すように、鍵穴３３に正しい鍵Ｋが挿入されたときに、外筒２０と内筒３０の境界と一致するシャーラインＬを生じさせ、内筒３０を回動可能とする。
【０００７】
ピンタンブラー４０は、バネ４１、上ピン４２、下ピン４３を有している。上ピン４２及び下ピン４３は、その軸方向の長さと、鍵Ｋの鍵溝Ｇの深さとの組み合わせによって、シャーラインＬが生じるように構成されている。上ピン４２はアッパーピン、ドライバピンとも呼ばれる。下ピン４３はボトムピン、キーピンとも呼ばれる。
【０００８】
外筒のピン穴２２には、バネ４１、上ピン４２の順に挿入されている。内筒３０のピン穴３２には、下ピン４３が挿入されている。外筒２０のピン穴２２と内筒３０のピン穴３２が合致している状態では、下ピン４３の上端は、上ピン４２の下端に接している。下ピン４３の下端は、ピン穴３２の下端から露出している。鍵Ｋが挿入されると、下ピン４３の下端は、鍵溝Ｇに接する。下ピン４３の下端には、鍵Ｋの挿入が円滑となるように、角のない丸みが形成されている。
【０００９】
なお、鍵穴３３内には、図１３（Ａ）に示すように、突起３４が形成されている。鍵Ｋには、図１２（Ｂ）、図１３（Ｂ）に示すように、挿入方向に直線状の溝Ｓが形成されており、鍵Ｋの出し入れの際には、突起３４に沿って溝Ｓが移動する。この突起３４の一部は、下ピン４３の下端を支えて、落下を防止している。
【００１０】
図１２（Ａ）、図１３（Ａ）に示すように、鍵穴３３に鍵Ｋを挿入していない状態では、バネ４１により上ピン４２及び下ピン４３が内筒３０側に付勢されていて、上ピン４２が外筒２０と内筒３０の境界に跨って障害となるので、内筒２０は回転できない。図１２（Ｂ）、図１３（Ｂ）に示すように、正しい鍵Ｋが鍵穴３３に挿入されると、上ピン４２と下ピン４３の境界が、外筒２０と内筒３０の境界に揃うように、鍵Ｋの鍵溝Ｇが下ピン４３を押し上げる。このため、図１３（Ｃ）に示すように、内筒３０を回転させることができる。このように揃った上ピン４２と下ピン４３の境界がシャーラインＬである。鍵Ｋとともに内筒３０を回転させると、内筒２０に接続された図示しないカムが回動することによって、デッドボルトが動き、解錠される。
【００１１】
正しくない鍵Ｋが挿入されて、鍵Ｋの鍵溝Ｇが下ピン４３を押し上げても、上ピン４２と下ピン４３との境界は、外筒２０と内筒３０の境界に揃わない。つまり、シャーラインＬが形成されないので、内筒３０を回転させることができない。
【先行技術文献】
【特許文献】
【００１２】
【特許文献１】特公平６−１３８０１号公報
【発明の開示】
【発明が解決しようとする課題】
【００１３】
上記のように、ピンタンブラー錠１０に使用されている上ピン４２及び下ピン４３は、それぞれの長さと、鍵Ｋの鍵溝Ｇの深さとの組み合わせによって、シャーラインＬを生じさせている。このため、正しい鍵Ｋを、異なる鍵溝Ｇの鍵Ｋに変更したい場合には、変更される鍵溝Ｇに応じて、上ピン４２及び下ピン４３をシャーラインＬを形成できる組み合わせに並び替える必要がある。
【００１４】
このような組み替え作業は、まず、鍵Ｋを挿入して、シャーラインＬを生じさせた状態で、外筒２０から内筒３０を正面側に引き抜く必要がある。このとき、外筒２０のピン穴２２は、内周面の天井に設けられているため、内筒３０を正面側に引き出した場合、上ピン４２及びバネ４１がピン穴２２から抜け落ちてしまう。これに対処するため、錠の筐体の上下を逆にして、上ピン４２を下側にして開口が上を向くようにし、さらに、内筒３０も１８０°回動させて下ピン４３も開口が上を向くようにする。この状態で、内筒３０を抜き出す。
【００１５】
しかし、外筒２０のピン穴２２に挿入された上ピン４２は、バネ４１によって付勢されている。このため、内筒３０を抜き出す途中で、ピン穴２２が露出した瞬間に、上ピン４２が飛び出して来てしまい、上ピン４２を回収する作業が面倒である。特に、内筒３０を抜き出した後に、飛び出した全ての上ピン４２を回収する場合、どのピン穴２２にどの上ピン４２が挿入されていたかが分からなくなってしまう。内筒３０を抜き出しながら、順次露出する上ピン４２を、一つずつ回収していくことも考えられるが、内筒３０は、外筒２０と軸方向の長さが同等で短く、鍵Ｋを挿入した状態での作業となるので、微細な移動作業がし難い。
【００１６】
そこで、図１４（Ａ）に示すように、内筒３０と同径の筒状治具６０を用いることが行われている。これは、筒状治具６０によって、内筒３０を背面側から押し出すように外筒２０内に挿入することにより、ピン穴２２から上ピン４２及びバネ４１が飛び出すことを防止する。このように内筒３０を押し出した後、図１４（Ｂ）に示すように、筒状治具６０を背面側から抜き出す方向に移動させながら、順次露出する上ピン４２、さらにその下のバネ４１を取り出して、後でピン穴２２の順番との対応を確認できるように並べておく。
【００１７】
次に、上ピン４２及び下ピン４３を組み替えて、再度、ピン穴２２に挿入する作業を説明する。まず、内筒３０については、組み替えた順序に従って、下ピン４３を挿入する。一方、外筒２０については、背面側から筒状治具６０を挿入しながら、背面側のピン穴２２から、組み替えた順序に従って、バネ４１及び上ピン４２を挿入して押し込み、そのピン穴２２を覆うように、図１４（Ｂ）とは逆の方向に、筒状治具６０の挿入を順次進めて行く。全てのバネ４１及び上ピン４２を挿入し終えた後、筒状治具６０を押し出すように、内筒３０を正面側から外筒２０内に挿入し、図１４（Ａ）とは逆に、内筒３０を押し進めて、筒状治具６０を引き抜く。
【００１８】
しかしながら、鍵の設置場所は様々であり、作業を行う際に周囲が暗い場合がある。また、例えば、鍵を紛失等してしまい、鍵の設置場所にて新たな鍵に変える緊急の必要があるときに、既に周囲が暗い時間帯に作業を行わなければならない場合もある。
【００１９】
このように周囲が暗い場合、外筒２０内を覗き込みながら、小さなピン穴２２に上ピン４２、バネ４１を挿入する作業は非常に困難となる。別途、小型のライトを持つことも考えられるが、背面側で筒状治具６０を持って操作する手と、正面側で上ピン４０等を取り出したり挿入したりする手で両手が塞がっているため、さらに別途ライトを持つことは難しい。頭部に装着するヘッドライトでは、上から照らすことになるため、外筒２０内の奥まで光を届かせることが難しい。
【００２０】
本発明は、上記のような従来技術の問題点を解決するために提案されたものであり、その目的は、暗い場所においても、ピンシリンダー錠のピンの配置を容易に組み替えることができるピン組替用治具を提供することにある。
【課題を解決するための手段】
【００２１】
上記の目的を達成するため、本発明のピン組替用治具は、ピンシリンダー錠の外筒内に挿入及び離脱するための略円筒形状であり、前記外筒内に挿入されることにより、前記外筒の内周に配設されたピン穴を塞ぐ外周面を有する本体を備え、前記本体は、光源を有する発光部と、前記外筒内に挿入される側の端部に設けられ、前記光源からの光を透過して外部に照射する照射部と、前記照射部が前記外筒内に挿入された状態で、前記外筒から露出して指により操作可能な操作部と、を有し、前記照射部は、前記外筒内に挿入される端面に形成され、前記ピン穴からピンを出し入れ可能な開口幅を有する溝を有する。
【００２２】
前記溝は、外方に向かって広がる傾斜面を有していてもよい。
【００２３】
前記溝は、径方向に対向する外周面の双方が開口していてもよい。
【００２４】
前記溝は、径方向に対向する外周面の一方にのみ開口していてもよい。
【００２５】
前記照射部は、半透明であってもよい。
【００２６】
前記照射部は、前記本体から離脱可能に設けられていてもよい。
【００２７】
前記光源は、電気により発光する部材であり、前記発光部は、前記本体の前記照射部とは反対の端部側に設けられ、前記光源を発光させる電源を収容する収容部を有し、前記光源は、前記収容部の近傍に配置されていてもよい。
【００２８】
前記光源は、その発光側の先端が、前記照射部側の端部から前記本体の軸方向の全長のうち２分の１以上となる位置に配置されていてもよい。
【発明の効果】
【００２９】
以上のような本発明によれば、暗い場所においても、ピンシリンダー錠のピンの配置を容易に組み替えることができる。
【図面の簡単な説明】
【００３０】
【図１】実施形態のピン組替用治具を示す斜視図である。
【図２】実施形態のピン組替用治具を示す平面図（Ａ）、側面図（Ｂ）、正面図（Ｃ）、背面図（Ｄ）である。
【図３】実施形態のピン組替用治具を示す断面図である。
【図４】実施形態のピン組替用治具を示す分解外観側面図（Ａ）、一部断面分解側面図（Ｂ）である。
【図５】照射部の溝をピン穴に合わせた状態を示す平面図であり、（Ａ）はピンを出し入れする状態、（Ｂ）ピンを抜いた状態である。
【図６】外筒に挿入した本体の操作部を示す側面図であり、（Ａ）は深く挿入した状態、（Ｂ）は浅く挿入した状態である。
【図７】実施形態の内筒の抜き出し手順を示す一部透視側面図であり、（Ａ）は内筒の抜き出しを開始した状態、（Ｂ）は抜き出しを完了した状態である。
【図８】実施形態のピンの抜き出し手順（Ａ）、ピンの挿入手順（Ｂ）を示す一部透視側面図である。
【図９】実施形態の内筒の挿入手順を示す一部透視側面図であり、（Ａ）は挿入開始前の状態、（Ｂ）は挿入開始状態である。
【図１０】他の実施形態を示す平面図（Ａ）、側面図（Ｂ）、底面図（Ｃ）、正面図（Ｄ）である。
【図１１】他の実施形態を示す斜視図である。
【図１２】ピンシリンダー錠の外筒及び内筒を示す一部透視断面図である。
【図１３】ピンシリンダー錠の外筒及び内筒を示す正面側断面図である。
【図１４】内筒の抜き出し手順を示す一部透視断面図である。
【発明を実施するための形態】
【００３１】
本発明の実施形態を、図面を参照して説明する。
［構成］
まず、図１〜図６を参照して、本実施形態の構成を説明する。なお、本実施形態の適用対象となるピンシリンダー錠は、上記の図１２〜図１３で例示したものと同様であるため、同じ部材については同じ符号を付して説明する。
【００３２】
本実施形態のピン組替用治具の本体１００は、図１及び図２（Ａ）に示すように、ピンシリンダー錠１０の外筒２０内に挿入及び離脱するための略円筒形状であり、外筒２０内に挿入されることにより、外筒２０の内周に配設されたピン穴２２を塞ぐ外周面１０１を有している。本体１００の外径は、例えば、全長を通して、ピンシリンダー錠の内筒３０と略同径である。つまり、本体１００の外周面１０１は、全体が円滑な曲面を形成しており、内筒３０と同様に、外筒２０内に挿入及び離脱させることができる。ここで、円滑なとは、滑らかで凹凸がないことをいう。但し、後述する分割箇所の微細な凹凸は含んでいてもよい。
【００３３】
本体１００は、図３に示すように、発光部１１０、照射部１２０を有する。発光部１１０は、発光する部材である光源１１１を有する。照射部１２０は、本体１００の外筒２０内に挿入される端部に設けられ、光源１１１からの光を透過して外部に照射する部材である。以下の説明では、本体１００の照射部１２０側を前端、反対側を後端とする。本実施形態の本体１００は、図４に示すように、前端側の照射部１２０、後端側のカバー１３０、照射部１２０とカバー１３０との間を接続する胴部１４０とに、分割可能に構成されている。
【００３４】
以下、各部の詳細を説明する。発光部１１０の光源１１１は、例えば、ＬＥＤである。光源１１１は、図３に示すように、本体１００内部に設けられた導光部１０２の後端側に、前端側に光が向かうように取り付けられている。導光部１０２は、本体１００の軸方向に沿った中空の穴である。この導光部１０２の形成箇所は、本体１００の胴部１４０に対応している。胴部１４０は、例えば、アルミニウム製の円筒形状の部材である。
【００３５】
発光部１１０は、さらに、収容部１１２及び接続部材１１３を有する。収容部１１２は、本体１００の照射部１２０とは反対側に設けられ、光源１１１を発光させる電源１１４を収容する部分である。本実施形態の収容部１１２は、光源１１１よりも、後端側に設けられた空隙である。光源１１１は、この収容部１１２の近傍に配置されている。収容部１１２の近傍に配置とは、照射部１２０よりも収容部１１２に近い位置に配置されていることをいう。本実施形態では、光源１１１は、板状の絶縁部材１１５を挟んで、収容部１１２に隣接している。光源１１１からは、絶縁部材１１５を貫通して一対の端子１１１ａ、１１１ｂが収容部１１２側に露出しており、一方の端子１１１aは、収容部１１２に収容された電源１１４の一方の極、例えば、プラス極に接離する。他方の端子１１１ｂは、収容部１１２の一部に接離する。電源１１４としては、例えば、ボタン電池を用いることができる。
【００３６】
本実施形態においては、光源１１１は、その発光側の先端が、本体１００の軸方向の全長のうち前端から２分の１以上となる位置に配置されている。例えば、図３の一点鎖線で示す本体１００の全長の半分の位置よりも、後端側に配置されている。接続部材１１３は、収容部１１２の後端側に設けられた導電性の部材である。接続部材１１３は、例えば、金属製の圧縮ばねである。接続部材１１３は、電源１１４の他方の極、例えば、マイナス極に接離する。
【００３７】
本体１００における収容部１１２が形成された部分は、カバー１３０に対応する。カバー１３０は、例えば、アルミニウム製の円筒形状の部材である。カバー１３０を胴部１４０から取り外して、その内部に電源１１４を収容し、再度取り付けることにより、電源１１４を本体１００内に装着できる。カバー１３０の端部の縮径した外周と、これが挿入される胴部１４０の内周には、互いに嵌り合う面に形成されたネジ溝により、締め付け固定可能に構成されている。なお、カバー１３０と胴部１４０の間には、封止及び脱落防止のためのＯリングＥが嵌め込まれている。
【００３８】
カバー１３０の回動量を調整すると、接続部材１１３により付勢された電源１１４の一方の極が、光源１１１の一方の端子１１１ａに接離し、カバー１３０の一部が、光源１１１の他方の端子１１１ｂに接離する。これにより、光源１１１の発光状態と非発光状態とが切り替わる。例えば、カバー１３０を締め付けると、電源１１４のプラス極が端子１１１ａに接触し、カバー１３０の一部が端子１１１ｂに接触する。すると、端子１１１ｂが、カバー１３０、接続部材１１３を介して電源１１４のマイナス極に接続されるので、光源１１１が発光する。カバー１３０を弛めると、電源１１４のプラス極と端子１１１ａとの接触又はカバー１３０の一部と端子１１１ｂとの接触が解除されるので、光源１１１は発光しない。
【００３９】
照射部１２０は、図１及び図３に示すように、外筒２０に挿入される端部に設けられ、光源１１１からの光を透過して外部に照射する。照射部１２０は、略円柱形状であり、光を透過する材料によって形成されている。光を透過するとは、光源１１１からの光の大半が透過するいわゆる透明の場合も、光源からの光を拡散させて透過するいわゆる半透明の場合も含む。このような透明又は半透明の材料としては、例えば、ポリカーボネートを用いることができるが、これには限定されない。光を透過する樹脂、ガラス等、種々の材料が適用可能である。また、乳白色、スモーク加工、粗面化処理、その他の着色や表面加工等により、半透明としてもよい。
【００４０】
照射部１２０には、溝１２１が形成されている。溝１２１は、外筒２０に挿入される側の端部、つまり前端面に形成されている。溝１２１は、図５に示すように、外筒２０のピン穴２２から上ピン４２を出し入れ可能な開口幅Ｗを有する。本実施形態の溝１２１は、断面が凹、つまり断面が略コの字状の切欠１２１ａを有し、この切欠１２１ａの径方向の幅が、開口幅Ｗとなっている。なお、この開口幅Ｗとしては、本体１００の軸に直交する方向の長さが、上ピン４２の径以上であることが好ましい。
【００４１】
また、本実施形態においては、溝１２１は、径方向に対向する外周面１０１の双方が開口している。つまり、溝１２１は、直径方向に貫通することにより、対向する一対の側面が開口している。このため、照射部１２０が外筒２０内に挿入された場合、溝１２１は、径方向に対向する内周面の双方に達する。
【００４２】
また、本実施形態においては、溝１２１は、外方に向かって広がる傾斜面１２１ｂを有している。つまり、切欠１２１ａの前端側は、断面が略ハの字状の開口となっている。
【００４３】
照射部１２０は、胴部１４０に着脱可能に設けられている。照射部１２０の溝１２１と反対側の縮径した外周と、これが挿入される胴部１４０の内周には、互いに嵌り合う面に形成されたネジ溝により、締め付け固定可能に構成されている。胴部１４０における照射部１２０が嵌る端部の内面は、導光部１０２に連通している。このため、光源１１１からの光は、照射部１２０に達する。
【００４４】
さらに、本体１００は、図６に示すように、照射部１２０から外筒２０内に挿入された状態で、外筒２０から露出して指により操作可能な操作部１５０を有する。つまり、本体１００が、全て外筒２０内に収まってしまうと、本体１００を動かすことができない。このため、外筒２０から突出した部分が生じるように、本体部１００の軸方向の長さが設定されている。指により操作可能とは、指で摘まんで、本体１００を軸方向に移動させたり、軸を中心とした回動をさせたりすることが可能であることをいう。照射部１２０から外筒２０に挿入した場合に、外部に露出した本体１００の部分が、操作部１５０に相当する。
【００４５】
但し、図６（Ａ）、（Ｂ）に示すように、本体１００の外筒２０からの軸方向の露出長は作業の段階によって変動する。露出長は、照射部１２０の前端が外筒２０の正面に達した状態であっても、１０ｍｍ以上は露出していることが好ましく、３０ｍｍ程度あればなお良い。それ以上の長さであってもよいが、小型で持ち運び易くすることを考えると、１０ｍｍ〜３０ｍｍ程度とすることが考えられる。例えば、内筒３０の軸方向の長さ、つまり、外筒２０の貫通穴の軸方向の長さが４０ｍｍ程度だとすると、本体１００の全長は、５０ｍｍ〜７０ｍｍ程度とすることが考えられる。但し、本発明はこれらの長さには限定されない。
【００４６】
［使用方法］
以上のような本実施形態によるピンの組替方法を、図１〜図６に加えて、図７〜図９を参照して説明する。上記の図１２〜図１３で説明した内容と同様の手順については、説明を簡略化する。なお、以下の説明のように、本実施形態のピン組替用治具を用いて、ピンを組み替える方法も、本発明の一態様である。まず、カバー１３０内の収容部１１２に電源１１４を収容した状態で、カバー１３０を回転させて締め付けることにより、光源１１１を発光させる。
【００４７】
次に、図７（Ａ）に示すように、鍵穴Ｇに鍵Ｋを挿入して、シャーラインＬを生じさせた状態で、錠の筐体の上下を逆にするとともに、内筒３０を１８０°回動させる。そして、指で本体１００の操作部１５０を摘み、溝１２１の外周側の開口がピン穴２２に一致しない角度にして、内筒３０を背面側から押し出すように、照射部１２０を外筒２０内に挿入する。このとき、本体１００の外周面１０１（図１参照）によって、ピン穴２２から上ピン４２及びバネ４１が飛び出すことが防止される。
【００４８】
内筒３０を押し出した後、図７（Ｂ）に示すように、本体１００を溝１２１が外周側の開口がピン穴２２に合う角度に回動させる。そして、図８（Ａ）に示すように、本体１００を背面側から抜き出す方向へ移動させながら、順次露出するピン穴２２から、上ピン４２、さらにその下のバネ４１を取り出す。例えば、ピンセットＰ等を用いて、飛び出しを抑えながら、上ピン４２を摘んで取り出すことができる。このとき、図５（Ａ）に示すように、ピン穴２２に対して、光源１１１からの光が照射部１２０を介して照射されているので、周囲が暗くても、溝１２１の位置決め、上ピン４２及びバネ４１の取り出しがし易い。また、溝１２１の傾斜面１２１ｂは、切欠１２１ａに向かって収斂しているので、ピンセットＰを挿入する際にガイドとなり、ピンセットＰの先端を上ピン４２及びバネ４１に向かって正確に移動させることができる。さらに、切欠１２１ａの内壁によって、上ピン４２、バネ４１の変位が規制されるので、安定した取り出しが可能となる。取り出した上ピン４２及びバネ４１は、後でピン穴２２の順番との対応を確認できるように管理しておく。
【００４９】
次に、上ピン４２及び下ピン４３を組み替えて、再度、ピン穴２２に挿入する作業を説明する。まず、内筒３０については、組み替えた順序に従って、下ピン４３を挿入する。一方、外筒２０については、図８（Ｂ）に示すように、背面側から本体１００を挿入しながら、ピンセットＰ等を用いて、背面側のピン穴２２から、組み替えた順序に従って、バネ４１及び上ピン４２を挿入して押し込み、照射部１２０の外周面でピン穴２２を塞いで行く。つまり、上ピン４２を挿入したピン穴２２を、照射部１２０の外周面で順次覆うように、本体１００の挿入を順次進めて行く。この作業においても、図５（Ａ）、（Ｂ）に示すように、光源１１１からの光が、照射部１２０を介して照射されるので、周囲が暗くても、溝１２１の位置決め、上ピン４２及びバネ４１の挿入がし易い。また、溝１２１の傾斜面１２１ｂによってガイドされるので、ピンセットＰの先端を上ピン４２及びバネ４１に向かって正確に移動させることができる。さらに、切欠１２１ａの内壁によって、上ピン４２、バネ４１の変位が規制されるので、安定した挿入が可能となる。
【００５０】
図９（Ａ）に示すように、全てのバネ４１及び上ピン４２を挿入し終えた後、本体１００を、溝１２１の外周側の開口がピン穴２２に一致しない角度に回動させる。そして、図９（Ｂ）に示すように、内筒３０を用いて、正面側から本体１００を押し出すように外筒内に挿入することにより、ピン穴２２からの上ピン４２の落下を防止しながら、内筒３０を挿入して行き、本体１００を取り出す。内筒３０に挿入した鍵Ｋを回動させて、シャーラインＬを生じさせた後、鍵Ｋを引き抜く。
【００５１】
［作用効果］
本実施形態は、ピンシリンダー錠１０の外筒２０内に挿入及び離脱するための略円筒形状であり、外筒２０内に挿入されることにより、外筒２０の内周に配設されたピン穴２２を塞ぐ外周面を有する本体１００を有する。この本体１００は、光源１１１を有する発光部１１０と、外筒２０内に挿入される側の端部に設けられ、光源１１１からの光を透過して外部に照射する照射部１２０と、照射部１２０が外筒２０内に挿入された状態で、外筒２０から露出して指により操作可能な操作部１５０と、を有する。照射部１２０は、外筒２０に挿入される端面に形成され、ピン穴３２から上ピン４２を出し入れ可能な開口幅Ｗを有する溝１２１を有する。
【００５２】
このため、照射部１２０を介して、光源１１１からの光がピン穴３２に照射された状態で、ピン穴３２への上ピン４２、バネ４１の出し入れができるので、周囲が暗くても作業がし易い。従って、別途ライトを持つ必要がなく、上ピン４２を出し入れする側の手、操作部１５０を操作する側の手で作業できる。また、ヘッドライトでは照らせない外筒２０の奥を照らすことができるので、目標とする箇所が見やすい。さらに、照射部１２０は、外筒２０内に挿入した状態で、目標とする箇所のみを照らすので、外部の余計な場所を照らすことがなく、夜間等に周囲に迷惑をかけることがない。さらに、溝１２１を形成することにより、内壁に角度の異なる複数の面が形成されるので、光が屈折して照射されて、作業者の目に対する刺激を緩和することができる。
【００５３】
なお、一般的に、光を外部に照射する装置である懐中電灯等のライトは、外周の径が一定しておらず、外周に凹凸や穴が形成されていたり、係留用のクリップが付けられている。これは、大型、小型を問わず、手に持ちやすく、滑り落ち難いものとすることを目的としているためである。一方、本実施形態は、ピンシリンダー錠１０の外筒２０内に挿入及び離脱するための略円筒形状であり、外筒２０内に挿入されることにより、外筒２０の内周に配設されたピン穴３２を塞ぐ外周面を有する本体１００を備えている。
【００５４】
また、一般的なライトは、発光側の頭部の径が大きくなっていて、光源は頭部側に設けられ、円錐形状の反射鏡によって光源からの光を前方に反射させ、前面は光が遮蔽されたり反射したりしない平坦又は曲面の透明な板によって覆われている。これは、大型、小型を問わず、光源からの光を効率良く出射させ、周囲又は特定の対象をできるだけ明るく照らすことを目的としているためである。一方、本実施形態は、照射部に、ピン穴からピンを出し入れ可能な開口幅を有する溝を有する。
【００５５】
つまり、発明者は、鋭意検討した結果、光を外部に照射する装置における一般的な技術常識に反して、上記のような従来得られなかった新たな作用効果を奏するピン交換用治具を発明するに至ったものである。
【００５６】
溝１２１は、外方に向かって広がる傾斜面１２１ｂを有する。このため、上ピン４２やバネ４１を出し入れする工具や指を挿入し易く、作業がし易い。例えば、ピンセットＰを使用する場合、ガイドとなるので、先端をピン穴３２へ正確に到達させることができる。
【００５７】
溝１２１は、径方向に対向する外周面の双方が開口している。このため、溝１２１の２つの端部のいずれか一方を、ピン穴４２に合わせればよいため、ピン穴４２に溝１２１を合わせるための回転量が少なくて済み、素早い作業ができる。
【００５８】
照射部１２０は、半透明であってもよい。半透明とすると、光源１１１からの光量が弱められて照射されるので、作業者の目に対する刺激を、さらに抑えることができる。
【００５９】
照射部１２０は、本体１００から離脱可能に設けられていてもよい。これにより、多数のピン組替治具を用意しなくても、ピンシリンダー錠１０の種類、作業のし易さ等に応じて、種々の形態の照射部１２０に交換することにより対応できる。
【００６０】
光源１１１は、その先端が、本体１００の軸方向の全長のうち照射部１２０側の端部から４分の１以上となる位置に配置されている。このため、光源１１１から照射部１２０が離れるため、光量が減衰して、適度な光量で照射される。これは、光源１１１としてＬＥＤなどの強いものを用いた場合に特に有効である。
【００６１】
光源１１１は、電源１１４に接続されることにより発光する部材であり、発光部１１０は、本体１００の照射部１２０とは反対の端部側に設けられ、光源１１１を発光させる電源１１４を収容する収容部１１２を有し、光源１１１は、収容部１１２の近傍に配置されている。
【００６２】
電気により発光する部材は、照射部１２０と近接させると光が強過ぎることになる可能性が高いが、本実施形態の光源１１１は、照射部１２０とは反対側の電源１１４の近傍に配置されているので、照射部１２０から光源１１１が離れる。このため、照射部１２０から照射される光量が減衰し、適度な光量で照射することができる。これは、光源１１１としてＬＥＤを用いた場合に特に有効である。
【００６３】
光源１１１は、その発光側の先端が、照射部１２０側の端部から本体１００の軸方向の全長の２分の１以上となる位置に配置されている。このように、照射部１２０から光源１１１を離すことによっても、適度な光量で照射することができる。
【００６４】
［他の実施形態］
本発明は、上記の実施形態に限定されるものではない。
（１）溝１２１の形状は、上記の態様には限定されない。少なくともピン穴２２から上ピン４２を出し入れ可能な開口幅Ｗを有していればよい。例えば、傾斜面１２１ｂを有していなくてもよい。つまり、幅の等しい直線上の切欠１２１ａが、照射部１２０の前面に達していてもよい。この場合、照射部１２０の加工数が少なくて済む。また、奥側から一対の傾斜面１２１ｂを形成することにより、水平断面が略Ｖ字形状となるように形成してもよい。この場合も、照射部１２０の加工数が少なくて済む。また、溝１２１の内壁は、平坦面である必要はなく、曲面を有していてもよい。
【００６５】
（２）溝１２１は、径方向に対向する外周面の一方にのみ開口していてもよい。つまり、溝１２１の端部は、外筒２０の径方向に対向する内周面の一方にのみ達していてもよい。例えば、溝１２１を、図１０（Ｃ）の底面図、図１０（Ｄ）の正面図に示すように、溝１２１の一端が開口していて、図１０（Ａ）平面図、図１０（Ｄ）の正面図に示すように、これに対向する側は塞がっている形状とする。この溝１２１は、図１０（Ｂ）の側面図に示すように、側面から見て略扇形となっている。
【００６６】
この場合、外筒２０のピンが、対向する２面に配設されているディンプルシリンダー錠の場合であっても、一方の面に対応するピンを出し入れする間、他方のピンの飛び出しを防止できる。図１０の例では、略扇形となっているので、ピンセットＰの先端が、円弧状の面により上下方向にもガイドされて、ピン穴に位置決めできる。円弧状の部分を平面として、三角形状としてもよい。このような溝１２１においても、傾斜面１２１ｂを有していてもよいし、有していなくてもよい。
【００６７】
（３）照射部１２０は本体１００と連続して形成されていてもよい。つまり、照射部１２０は、上記のように着脱可能な構成としても、着脱されない構成としてもよい。例えば、本体１００の全体又は大半を透明又は半透明の材料によって形成し、その一端を照射部１２０としてもよい。本体１００の照射部１２０以外を構成する材料は、上記の例には限定されず、金属、樹脂、木材等、種々の材料を使用できる。透明、半透明、不透明のいずれであってもよい。照射部１２０の外周面が不透明であっても、溝１２１の内面が透明又は半透明であればよい。つまり、照射部１２０の全体が光を透過する必要はなく、少なくともピンを出し入れする箇所に、光が透過して照射されればよい。
【００６８】
（４）光源１１１の位置は、上記の態様には限定されない。例えば、照射部１２０の近傍又は照射部１２０内に光源１１１を設けてもよい。この場合、比較的強度が弱い光の光源１１１を用いるか、光の透過率の低い照射部を用いることにより、光量を緩和してもよい。
【００６９】
（５）電源１１４は、特定のものには限定されない。充電式の電池としてもよい。上記の実施形態では、発光と非発光の切替を、カバー１３０の回動によって行う構成であったが、本体１００の側面又は底面等に設けられたスイッチによって行う構成としてもよい。
【００７０】
（６）光源１１１の種類は、ＬＥＤには限定されず、白熱電球、有機ＥＬ等であってもよい。また、電源１１４を必要としない光源１１１を用いてもよい。例えば、いわゆる蛍光チューブのように、化学的に発光する材料を透明な管に収容したものを、光源１１１として用いることもできる。この場合、光源１１１を本体１００内の導光部１０２に収容し、その光が照射部１２０を介して外部に照射されるようにする。さらに、照射部１２０としての透明な容器内に、発光する材料を封止してもよい。この場合、発光材料が光源１１１と一体となった発光部１１０となる。
【００７１】
（７）本実施形態が適用されるシリンダー錠は、外筒と内筒の間にピンタンブラーが介在して、開閉を切り替える態様のものであれば、どのような錠であってもよい。
【符号の説明】
【００７２】
１０  ピンシリンダー錠
２０  外筒
２１  貫通穴
２２  ピン穴
３０  内筒
３２  ピン穴
３３  鍵穴
１００  本体
１０１  外周面
１０２  導光部
１１０  発光部
１１１  光源
１１１ａ、１１１ｂ  端子
１１２  収容部
１１３  接続部材
１１４  電源
１１５  絶縁部材
１２０  照射部
１２１  溝
１２１ａ  切欠
１２１ｂ  傾斜面
１３０  カバー
１４０  胴部
１５０  操作部
【図１】
2018100577.tif 000003
【図２】
2018100577.tif 000004
【図３】
2018100577.tif 000005
【図４】
2018100577.tif 000006
【図５】
2018100577.tif 000007
【図６】
2018100577.tif 000008
【図７】
2018100577.tif 000009
【図８】
2018100577.tif 000010
【図９】
2018100577.tif 000011
【図１０】
2018100577.tif 000012
【図１１】
2018100577.tif 000013
【図１２】
2018100577.tif 000014
【図１３】
2018100577.tif 000015
【図１４】
2018100577.tif 000016